(57)【特許請求の範囲】
【請求項１】
下階となる階に四角形を構成するように配置された４つの建物ユニットと、この下階の上階となる階に四角形を構成するように載置された４つの建物ユニットとを少なくとも有するユニット式建物において、
前記下階の隣合う２つの建物ユニット及びこれらの建物ユニットと対向する２つの建物ユニットの天井梁と、前記上階の隣合う２つの建物ユニット及びこれらの建物ユニットと対向する２つの建物ユニットの床梁とが、複数のラチス材を介して連結され、
前記各ラチス材において、一方の端部は、前記上階の対向する２つの建物ユニットの床梁間に配置されて前記床梁同士を連結し、
他方の端部は、前記下階の対向する２つの建物ユニットの天井梁間に配置されて前記天井梁同士を連結することを特徴とするユニット式建物。
【請求項２】
請求項１に記載のユニット式建物において、
前記ラチス材は、ボルト挿通用の孔部が形成された一方及び他方の端部と、これらの端部を連結する連結部とを備えていることを特徴とするユニット式建物。
【請求項３】
請求項２に記載のユニット式建物において、
前記ラチス材の端部が位置する部分の天井梁及び床梁には、ボルト挿通用の孔部が形成されていることを特徴とするユニット式建物。
【請求項４】
請求項１〜３のいずれかに記載のユニット式建物において、前記下階に配置された４つの建物ユニットは、その中央に柱が設けられていない大広間となっていることを特徴とするユニット式建物。
【請求項５】
請求項１〜４のいずれかに記載のユニット式建物の施工方法であって、
下階に配置される４つの建物ユニットの中央に位置する柱の代わりに、各建物ユニットに仮柱を設けておき、
前記下階の隣合う２つの建物ユニットの天井梁と、これらの建物ユニット上に載置された建物ユニットの床梁との間にラチス材を取り付けた後、
これらの建物ユニットと対向するように下階と上階の隣合う２つの建物ユニットを設置し、前記ラチス材を介して天井梁同士及び床梁同士を連結し、
その後、前記仮柱を取り外すことを特徴とするユニット式建物の施工方法。
【発明の詳細な説明】
【０００１】
【発明の属する技術分野】
本発明は、ユニット式建物及びその施工方法に関する。
【０００２】
【背景技術】
近年、工場で建物の居室等を建物ユニットとして作製しておき、これらの建物ユニットを現場に輸送し、基礎上に設置して建築するようにしたユニット式建物が施工されている（特開平7-286367号公報、特開平8-165720号公報、等）。
前記建物ユニットは、ユニットフレームに設けられた床面材、天井面材、壁材、等を有して構成されている。
【０００３】
ユニットフレームは、四角形の四隅に立設された柱、隣合う柱の上端間に掛け渡された天井梁、隣合う柱の下端間に掛け渡された床梁、等を備えている。
一方、ユニット式建物においては、内部に柱のない大空間を造るため、大空間の中央に位置する部分の柱が省略されることがある。そして、柱が省略された部分の梁の強度を補強するため、通常の梁の代わりにラチス梁が設けられる。
【０００４】
【発明が解決しようとする課題】
建物ユニットのユニットフレームの一部である天井梁をラチス梁に変更した場合、通常の梁とは異なる構成のラチス梁を作らなければならない上に、ラチス梁と柱との特別の接合構造も必要となるため、建物ユニットの作製が面倒になっていた。
【０００５】
そこで、本発明は、簡易な構成で大広間を実現することができるユニット式建物及びその施工方法を提供することを目的とする。
【０００６】
【課題を解決するための手段】
図面を参照して説明すると、本発明の第１発明は、下階となる階に四角形を構成するように配置された４つの建物ユニット13と、この下階の上階となる階に四角形を構成するように載置された４つの建物ユニット13とを少なくとも有するユニット式建物11において、前記下階の隣合う２つの建物ユニット13及びこれらの建物ユニット13と対向する２つの建物ユニット13の天井梁21と、前記上階の隣合う２つの建物ユニット13及びこれらの建物ユニット13と対向する２つの建物ユニット13の床梁17とが、複数のラチス材24Aを介して連結され、前記各ラチス材24Aにおいて、一方の端部25Bは、前記上階の対向する２つの建物ユニット13の床梁17間に配置されて前記床梁17同士を連結し、他方の端部25Aは、前記下階の対向する２つの建物ユニット13の天井梁21間に配置されて前記天井梁21同士を連結することを特徴とする。
【０００７】
前記天井梁も床梁も、通常のユニットフレームの天井梁及び床梁として使用されているものである。
前記ラチス材（斜材）は、下階の天井梁と上階の床梁間にジグザグ状に設けられ、これらのラチス材により下階の天井梁と上階の床梁間でラチス梁が構成されている。
【０００８】
本発明によれば、従来のユニットフレームの天井梁と床梁をそのまま使用しているため、梁自体を変更する必要がなくなり、ユニットフレームの作製が簡易化される。
また、前記ラチス材により下階の天井梁と上階の床梁の間でラチス梁が構成されているため、構造的に充分な強度を有するユニットフレームとすることができ、中央の柱を除いても、強度的に問題なく大広間を設けることができる。
【０００９】
本発明の第２発明に係るユニット式建物11は、第１発明において、前記ラチス材24Aは、ボルト挿通用の孔部27が形成された一方及び他方の端部25A,25Bと、これらの端部25A,25Bを連結する連結部26Aとを備えていることを特徴とする。
本発明に係るラチス材の一方の端部が下階の天井梁側に固定され、他方の端部が上階の床梁側に固定されることになる。
本発明に係るラチス材を使用して、ラチス構造を容易に実現できるようになる。
【００１０】
本発明の第３発明に係るユニット式建物11は、第２発明において、前記ラチス材24Aの端部25A,25Bが位置する部分の天井梁21及び床梁17には、ボルト挿通用の孔部28が形成されていることを特徴とする。
ボルトは、一方の建物ユニットの天井梁又は床梁の孔部から前記ラチス材の孔部を通り、更に対向する他方の建物ユニットの天井梁又は床梁の孔部を通り、ナットで固定されることになる。
【００１１】
本発明の第４発明に係るユニット式建物11は、第１〜第３発明のいずれかにおいて、前記下階に配置された４つの建物ユニット13は、その中央に柱が設けられていない大広間となっていることを特徴とする。
本発明によれば、前記ラチス材により下階の天井梁と上階の床梁間でラチス梁が構成されているため、前記中央の柱を取り除いて大広間を設けても、構造上の問題はない。
【００１２】
本発明の第５発明は、第１〜第４発明のいずれかのユニット式建物11の施工方法であって、下階に配置される４つの建物ユニット13の中央に位置する柱の代わりに、各建物ユニットに仮柱32を設けておき、前記下階の隣合う２つの建物ユニット13の天井梁21と、これらの建物ユニット13上に載置された建物ユニット13の床梁17との間にラチス材24Aを取り付けた後、これらの建物ユニット13と対向するように下階と上階の隣合う２つの建物ユニット13を設置し、前記ラチス材24Aを介して天井梁21同士及び床梁17同士を連結し、その後、前記仮柱32を取り外すことを特徴とする。
本発明により、前記中央の柱を取り除いて大広間を設けることができるようになる。
【００１３】
【発明の実施の形態】
図面を参照して本発明の一実施形態に係るユニット式建物11及びその施工方法を説明する。
図１に示すように、本実施形態のユニット式建物11は、基礎12と、４つの建物ユニット13が四角形を構成するように基礎上に配置された１階部分14と、４つの建物ユニット13がこの１階部分14上に載置された２階部分15と、図示しない屋根を有して構成されている。各建物ユニット13は、ユニットフレーム16に壁材、天井面材、床面材、等が取り付けられて構成されているが、説明の都合上、ユニットフレーム16のみを図示する。
【００１４】
このユニットフレーム16の基本構造は、４本の床梁17が四角に組まれた床フレーム18と、４本の天井梁21が四角に組まれた天井フレーム22と、床フレーム18と天井フレーム22の四隅間にそれぞれ立設された４本の柱23とを備えている。
図２〜４に示すように、このユニット式建物11において、１階の隣合う２つの建物ユニット13及びこれらの建物ユニット13と対向する２つの建物ユニット13の天井梁21と、２階の隣合う２つの建物ユニット13及びこれらの建物ユニット13と対向する２つの建物ユニット13の床梁17とが、ラチス材24A,24Bを介して連結されている。
【００１５】
図５にも示すように、上下の建物ユニット13間に取り付けられる前記ラチス材24Aは、直線方向に位置する一方及び他方の端部25A,25Bと、これらの端部25A,25Bを連結する連結部26Aとを備えている。
一方及び他方の端部25A,25Bは、中央にボルト挿通用の孔部27が形成された円筒形状を有している。これらの端部25A,25Bの長さは、同じ階の建物ユニット13及びこの建物ユニット13と対向する建物ユニット13の天井梁21間又は床梁17間の幅にほぼ相当する。
前記連結部26Aは、両端部25A,25Bの胴部間を連結する断面四角形のものである。
【００１６】
また、図２にも示すように、水平方向に隣合う建物ユニット13間に跨って取り付けられるラチス材24Bは、Ｘ字形に形成された連結部26Bと、この連結部26Bの四方の末端に形成された前記ラチス材24Aと同様の端部25C〜25Fとを有するものである。
一方、図４に示すように、前記ラチス材24A,24Bの端部25A〜25Fが位置する部分の天井梁21及び床梁17には、ボルト挿通用の孔部28が形成されている。
【００１７】
そして、ボルト29が、一方の建物ユニット13の天井梁21又は床梁17の孔部28からラチス材24A,24Bの孔部27を通り、更に対向する他方の建物ユニット13の天井梁21又は床梁17の孔部28を通ってナット31で固定されている。
なお、前記建物ユニット13のうち、１階に配置された４つの建物ユニット13は、その中央に柱が設けられていないで、４つの建物ユニット13を合わせて１部屋となった大広間である。
【００１８】
本実施形態に係るユニット式建物11は、次のようにして施工することができる。
図６に示すように、先ず、１階部分14に配置される４つの建物ユニット13の中央に位置する柱の代わりに、各建物ユニットに仮柱32を設けておく。
次に、１階部分14の隣合う２つの建物ユニット13の天井梁21と、これらの建物ユニット13上に載置された建物ユニット13の床梁17との間にラチス材24Aを取り付ける。また、水平方向に隣合う建物ユニット13間にも前記Ｘ字形のラチス材24Bを取り付けておく。
【００１９】
次に、これらの建物ユニット13と対向するように１階部分14と２階部分15の隣合う２つの建物ユニット13を設置し、前記ラチス材24A,24Bで対向する天井梁21同士及び床梁17同士を連結する。
この後、１階部分14に配置された４つの建物ユニット13から前記仮柱32を取り外して４つの建物ユニット13を合わせた大広間を作る。
【００２０】
上記実施形態によれば、従来の建物ユニット11のユニットフレーム16の天井梁21と床梁17をそのまま使用しているため、梁自体を変更する必要がなくなり、ユニットフレーム16の作製が容易である。
また、前記ラチス材24A,24Bにより１階の天井梁21と２階の床梁17との間でラチス梁が構成されているため、構造的に充分な強度を有するユニットフレーム16とすることができる。
【００２１】
また、ラチス材24A,24Bが上記構成を有しているため、ラチス構造を容易に実現できる。
更に、前記ラチス材24A,24Bにより１階の天井梁21と２階の床梁17との間でラチス構造が得られているため、前記中央の柱を取り除いて大広間を設けても、構造上の問題はない。
【００２２】
なお、水平方向に隣合う建物ユニット13間に跨って取り付けられる上記実施形態のラチス材24Bは、Ｘ字形に形成された連結部を有するものであったが、他の構造とすることもできる。例えば、図７に示すように、上下の建物ユニット13間に取り付けられる前記ラチス材24Aと類似の構造を有するラチス材24Cとし、このラチス材24Cをその連結部26Cが端部25G,25Hの胴部の一方側に偏った構成とし、両ラチス材24Cを交差させた状態で使用するようにしてもよい。
【００２３】
また、上記実施形態に係るユニット式建物11は、上下階それぞれ４個の建物ユニット13で構成されていたが、例えば上下階をそれぞれ６個の建物ユニット13で構成するようにしてもよい。この場合、下階の４個の建物ユニット13だけで大広間を構成してもよく、又は６個の建物ユニット13を全部使って大広間を構成してもよい。
【００２４】
【発明の効果】
本発明に係るユニット式建物及びその施工方法によれば、簡易な構成で大広間を実現することができる。
【図面の簡単な説明】
【図１】本発明の一実施形態に係るユニット式建物の斜視図である。
【図２】同実施形態に係るユニット式建物の要部側面図である。
【図３】同実施形態に係るユニット式建物の要部平面図である。
【図４】同実施形態に係るユニット式建物の要部断面図である。
【図５】同実施形態に係るラチス材の斜視図である。
【図６】同実施形態に係るユニット式建物の施工方法を示す斜視図である。
【図７】他の構成に係るラチス材の斜視図である。
【符号の説明】
11  ユニット式建物
13  建物ユニット
16  ユニットフレーム
17  床梁
21  天井梁
24A,24B,24C  ラチス材
25A〜25H  端部
26A〜26C  連結部
27  ラチス材の孔部
28  梁の孔部
32  仮柱
【図１】
0004072262.tif 000002
【図２】
0004072262.tif 000003
【図３】
0004072262.tif 000004
【図４】
0004072262.tif 000005
【図５】
0004072262.tif 000006
【図６】
0004072262.tif 000007
【図７】
0004072262.tif 000008